(57)【要約】【課題】相手端子との接続過程や接続状態を目視確認できるとともに、自動化に好適なコネクタを提供することを目的とする。【解決手段】接触部１２１が設けられた案内枠１２０と、案内枠１２０に対して上下方向に移動可能な上下移動枠１３０と、案内枠１２０に設けられた接触部１２１に対向する押当部１４３が設けられた押当部材１４０とからなり、上下移動枠１３０を押下すると、上下移動枠１３０の斜め上下に延びるカム溝１３１と押当部材１４０に設けられた案内ピン１４２とのカム係合により、押当部１４３が接触部１２１に接近し、押当部１４３と接触部１２１との間に相手端子を挟持する。【選択図】        図４
2011014466.tif 000002
【特許請求の範囲】
【請求項１】
上に開口した内部空間と、底面から該内部空間に貫通し該底面側から該内部空間への相手端子の挿入を受ける端子挿入孔とを有する絶縁ハウジングと、
前記内部空間に挿入された前記相手端子の前側であって該相手端子に隣接して位置する接触部と、上下方向に延びる上下案内溝と、前後方向に水平に延びる前後案内溝とが設けられ、上下双方に開口した枠形状を有し前記内部空間に配置されて前記絶縁ハウジングに固定された案内枠と、
上側では相対的に前方に位置し下側では相対的に後方に位置するように斜め上下に延びるカム溝と、前記上下案内溝に入り込んで上下に案内される上下案内突起とが設けられ、上下に開口した枠形状を有し前記案内枠の内側に配置される上下移動枠と、
前記前後案内溝に入り込んで前後に案内される前後案内突起と、前記カム溝に入り込み該カム溝に沿って案内される案内ピンと、前記相手端子を前記接触部に押し当てる押当部とが設けられ、前記上下移動枠の内側に配置され該上下移動枠が下方への押圧を受けたときに前記カム溝と前記前後案内溝とに案内されて前方に移動し前記相手端子を該押当部で前記接触部に押し当てる押当部材とを備えたことを特徴とするコネクタ。
【請求項２】
前記案内枠が、前記内部空間内側に突出した係止突起を有する弾性片を有し、
前記上下移動枠が、該上下移動枠が上方に位置し前記押当部材を後方に移動させた状態で前記係止突起が入り込む第１の係止穴と、該上下移動枠が下方に位置し前記押当部材を前方に移動させて前記押当部で前記相手端子を前記接触部に押し当てさせた状態で前記係止突起が入り込む第２の係止穴とを有することを特徴とする請求項１記載のコネクタ。
【請求項３】
上に開口した内部空間と、底面から該内部空間に貫通し該底面側から該内部空間への相手端子の挿入を受ける端子挿入孔とを有する絶縁ハウジングと、
前記内部空間に挿入された前記相手端子の前側であって該相手端子に隣接して位置する接触部と、上側では相対的に後方に位置し下側では相対的に前方に位置するように斜め上下に延びるカム溝とが設けられ、上下双方に開口した枠形状を有し前記内部空間に配置されて前記絶縁ハウジングに固定された案内枠と、
前記カム溝に入り込み該カム溝に沿って案内される案内ピンと、前記相手端子を前記接触部に押し当てる押当部とが設けられ、前記案内枠の内側に配置され前記カム溝に案内されて上後方と下前方とに斜めに移動し下方への押圧を受けたときに前記カム溝に案内されて下前方に移動し前記相手端子を該押当部で前記接触部に押し当てる押当部材とを備えたことを特徴とするコネクタ。
【請求項４】
前記カム溝が、上後方と下前方との間で斜め上下に延びる案内溝と、該案内溝下端に連続し該案内溝下端から後方に折れ曲がるように鈎状に切り欠かれ前記案内ピンを下端に係止する下端係止部と、該案内溝上端に連続し該案内溝上端から前方に折れ曲がるように鈎状に切り欠かれ前記案内ピンを上端に係止する上端係止部とを有するカム溝であって、
前記案内枠が、前記押当部材が上後方にあったときに該押当部材を前方に弾性的に押圧する、前記内部空間内側に突出した押圧突起を有する弾性片を有することを特徴とする請求項３記載のコネクタ。
【発明の詳細な説明】
【技術分野】
【０００１】
本発明は、相手端子と電線との間を電気的に接続するコネクタに関する。
【背景技術】
【０００２】
従来より、例えば太陽光エネルギーを電気エネルギーに変換するソーラーパネルから導出されるタブのような相手端子と電線との間を電気的に接続する種々のコネクタが知られている。
【０００３】
例えば、このようなコネクタとして、ソーラーパネルに対して略直交して導出されたタブが接触する端子板と、端子板に対向して弾性的に支持されたばねコンタクトとを有するソーラーモジュール用接続箱が提案されている（例えば、特許文献１参照。）。このソーラーモジュール用接続箱によれば、端子板とばねコンタクトとの間にタブを位置させて、ソーラーモジュール用接続箱をソーラーパネル側に押し下げると、ソーラーモジュール用接続箱のカバーハウジングによりばねコンタクトが押下される。すると、押下されたばねコンタクトと端子板との間にタブが挟み込まれ、相互に電気的に接続される。
【０００４】
また、例えば、このようなコネクタとして、ソーラーパネルに対して略直交して導出されたタブが接触する、互いに近づく向きに付勢された一対のコンタクトを有するソーラーモジュール用接続箱が提案されている（例えば、特許文献２参照。）。このソーラーモジュール用接続箱によれば、一対のコンタクトの間にタブを位置させて、ソーラーモジュール用接続箱をソーラーパネル側に押し下げると、一対のコンタクトでタブが挟み込まれ、相互に電気的に接続される。
【先行技術文献】
【特許文献】
【０００５】
【特許文献１】国際公開第２００８／０９５６７０号パンフレット
【特許文献２】欧州特許出願公開第１６７２７０２号明細書
【発明の概要】
【発明が解決しようとする課題】
【０００６】
特許文献１に提案されたコネクタでは、端子板とばねコンタクトとの間に、位置ずれを起こすことなく正確にタブを配置する必要がある。そのように配置することは非常に困難であり、自動化が困難である。また、このコネクタは、カバーハウジングによりばねコンタクトを押下する構造であるため、ばねコンタクトと端子板との間にタブが挟み込まれる過程や、その間にタブが挟み込まれた状態を目視確認することができない。
【０００７】
また、特許文献２に提案されたコネクタでは、一対のコンタクトの間に、位置ずれを起こすことなく正確にタブを配置する必要がある。そのように配置することは非常に困難であり、自動化が困難である。
【０００８】
本発明は、上記事情に鑑み、相手端子との接続過程や接続状態を目視確認できるとともに、自動化に好適なコネクタを提供することを目的とするものである。
【課題を解決するための手段】
【０００９】
上記目的を達成する本発明のコネクタのうちの第１のコネクタは、
上に開口した内部空間と、底面からその内部空間に貫通しその底面側からその内部空間への相手端子の挿入を受ける端子挿入孔とを有する絶縁ハウジングと、
上記内部空間に挿入された上記相手端子の前側であってその相手端子に隣接して位置する接触部と、上下方向に延びる上下案内溝と、前後方向に水平に延びる前後案内溝とが設けられ、上下双方に開口した枠形状を有し上記内部空間に配置されて上記絶縁ハウジングに固定された案内枠と、
上側では相対的に前方に位置し下側では相対的に後方に位置するように斜め上下に延びるカム溝と、上記上下案内溝に入り込んで上下に案内される上下案内突起とが設けられ、上下に開口した枠形状を有し上記案内枠の内側に配置される上下移動枠と、
上記前後案内溝に入り込んで前後に案内される前後案内突起と、上記カム溝に入り込みそのカム溝に沿って案内される案内ピンと、上記相手端子を上記接触部に押し当てる押当部とが設けられ、上記上下移動枠の内側に配置されその上下移動枠が下方への押圧を受けたときに上記カム溝と上記前後案内溝とに案内されて前方に移動し上記相手端子をその押当部で上記接触部に押し当てる押当部材とを備えたことを特徴とする。
【００１０】
本発明のコネクタのうちの第１のコネクタは、接触部が設けられた案内枠と、案内枠に対して上下方向に移動可能な上下移動枠と、案内枠に設けられた接触部に対向する押当部が設けられた押当部材とからなり、上下移動枠を押下すると、上下移動枠の斜め上下に延びるカム溝と押当部材に設けられた案内ピンとのカム係合により、押当部が接触部に接近し、押当部と接触部との間に相手端子を挟持する。従って、この第１のコネクタによれば、コネクタに対する相手端子の位置を上方から容易に確定することができ、上方から上下移動枠の操作ができ、上方からの相手端子接触状態の確認が容易であることから、自動化に適しており、さらに、保持解除・再保持の作業も容易に実施できる。
【００１１】
ここで、本発明のコネクタのうちの第１のコネクタは、
「上記案内枠が、上記内部空間内側に突出した係止突起を有する弾性片を有し、
上記上下移動枠が、この上下移動枠が上方に位置し上記押当部材を後方に移動させた状態で上記係止突起が入り込む第１の係止穴と、この上下移動枠が下方に位置し上記押当部材を前方に移動させて上記押当部で上記相手端子を上記接触部に押し当てさせた状態で上記係止突起が入り込む第２の係止穴とを有する」
ことが好ましい。
【００１２】
このような好ましい形態によれば、上下移動枠が上方に位置し上記押当部材を後方に移動させた状態や、上下移動枠が下方に位置し上記押当部材を前方に移動させて上記押当部で上記相手端子を上記接触部に押し当てさせた状態が、規制される。
【００１３】
また、上記目的を達成する本発明のコネクタのうちの第２のコネクタは、
上に開口した内部空間と、底面からその内部空間に貫通しその底面側からその内部空間への相手端子の挿入を受ける端子挿入孔とを有する絶縁ハウジングと、
上記内部空間に挿入された上記相手端子の前側であってその相手端子に隣接して位置する接触部と、上側では相対的に後方に位置し下側では相対的に前方に位置するように斜め上下に延びるカム溝とが設けられ、上下双方に開口した枠形状を有し上記内部空間に配置されて上記絶縁ハウジングに固定された案内枠と、
上記カム溝に入り込みそのカム溝に沿って案内される案内ピンと、上記相手端子を上記接触部に押し当てる押当部とが設けられ、上記案内枠の内側に配置され上記カム溝に案内されて上後方と下前方とに斜めに移動し下方への押圧を受けたときに上記カム溝に案内されて下前方に移動し上記相手端子をその押当部で上記接触部に押し当てる押当部材とを備えたことを特徴とする。
【００１４】
本発明のコネクタのうちの第２のコネクタは、接触部と、斜め上下に延びるカム溝とが設けられた案内枠と、案内枠に対して上下方向に移動可能であって、案内枠に設けられた接触部に対向する押当部が設けられた押当部材とからなり、押当部材を押下すると、案内枠に設けられたカム溝と押当部材に設けられた案内ピンとのカム係合により、押当部が接触部に接近し、押当部と接触部との間に相手端子を挟持する。従って、この第２のコネクタによれば、コネクタに対する相手端子の位置を上方から容易に確定することができ、上方から押当部材の操作ができ、上方からの相手端子接触状態の確認が容易であることから、自動化に適しており、さらに、保持解除・再保持の作業も容易に実施できる。また、この第２のコネクタは、上述した第１のコネクタよりも部品点数が少ない。
【００１５】
ここで、本発明のコネクタのうちの第２のコネクタは、
「上記カム溝が、上後方と下前方との間で斜め上下に延びる案内溝と、この案内溝下端に連続しこの案内溝下端から後方に折れ曲がるように鈎状に切り欠かれ上記案内ピンを下端に係止する下端係止部と、この案内溝上端に連続しこの案内溝上端から前方に折れ曲がるように鈎状に切り欠かれ上記案内ピンを上端に係止する上端係止部とを有するカム溝であって、
上記案内枠が、上記押当部材が上後方にあったときにその押当部材を前方に弾性的に押圧する、上記内部空間内側に突出した押圧突起を有する弾性片を有する」
ことが好ましい。
【００１６】
このような好ましい形態によれば、押当部材が上後方にあったときや、押当部材が下前方にあったときの状態が規制される。
【発明の効果】
【００１７】
本発明によれば、相手端子との接続過程や接続状態を目視確認できるとともに、自動化に好適なコネクタが提供される。
【図面の簡単な説明】
【００１８】
【図１】本発明のコネクタの第１実施形態であるソーラーモジュール用接続箱の斜視図である。
【図２】図１に示すソーラーモジュール用接続箱の外観を表す図である。
【図３】図１，図２に示す絶縁ハウジングの斜視図である。
【図４】図１，図２に示す案内枠、上下移動枠、および押当部材の斜視図である。
【図５】図４に示す各部品の分解斜視図である。
【図６】蓋を取り外したソーラーモジュール用接続箱にタブが挿入される前の状態の縦断面斜視図である。
【図７】図６に示す状態からタブが挿入された後のタブ保持前の状態の縦断面斜視図である。
【図８】図７に示す状態を側面側から見た縦断面図である。
【図９】図７に示す状態を側面側から見た縦断面図である。
【図１０】上下移動枠を下方に位置させたときの、案内枠、上下移動枠、および押当部材の斜視図である。
【図１１】図７に示す状態から上下移動枠を下方に位置させた後のタブ保持の状態の縦断面斜視図である。
【図１２】図１１に示す状態からタブの挟み込まれた側の先端を接触部側に折り曲げた状態の縦断面斜視図である。
【図１３】図１２に示す状態を側面側から見た縦断面図である。
【図１４】図１２に示す状態を側面側から見た縦断面図である。
【図１５】図１１〜図１４に示す状態から蓋を取り付けた状態の縦断面斜視図である。
【図１６】本発明のコネクタの第２実施形態であるソーラーモジュール用接続箱の斜視図である。
【図１７】図１６に示すソーラーモジュール用接続箱の外観を表す図である。
【図１８】図１６，図１７に示す絶縁ハウジングの斜視図である。
【図１９】図１６，図１７に示す案内枠および押当部材の斜視図である。
【図２０】図１６，図１７に示す案内枠および押当部材の図１９に対して背面側から見た斜視図である。
【図２１】図１９，図２０に示す各部品の分解斜視図である。
【図２２】蓋を取り外したソーラーモジュール用接続箱にタブが挿入される前の状態の縦断面斜視図である。
【図２３】図２２に示す状態からタブが挿入された後のタブ保持前の状態の縦断面斜視図である。
【図２４】図２３に示す状態を側面側から見た縦断面図である。
【図２５】図２３に示す状態を側面側から見た縦断面図である。
【図２６】押当部材を下前方に位置させたときの、案内枠および押当部材の斜視図である。
【図２７】図２３に示す状態から押当部材を下前方に位置させた後のタブ保持の状態の縦断面斜視図である。
【図２８】図２７に示す状態からタブの挟み込まれた側の先端を接触部側に折り曲げた状態の縦断面斜視図である。
【図２９】図２８に示す状態を側面側から見た縦断面図である。
【図３０】図２８に示す状態を側面側から見た縦断面図である。
【図３１】図２７〜図３０に示す状態から蓋を取り付けた状態の縦断面斜視図である。
【発明を実施するための形態】
【００１９】
以下、図面を参照して本発明の実施の形態を説明する。
【００２０】
図１は、本発明のコネクタの第１実施形態であるソーラーモジュール用接続箱１００の斜視図である。図２は、図１に示すソーラーモジュール用接続箱１００の外観を表す図である。図２において、（ａ）は平面図、（ｂ）は正面図、（ｃ）は左側面図、（ｄ）は右側面図、（ｅ）は底面図である。尚、図２は、蓋１５０が取り外された状態の図である。
【００２１】
図１，図２に示すように、ソーラーモジュール用接続箱１００は、絶縁ハウジング１１０と、案内枠１２０と、上下移動枠１３０と、押当部材１４０と、蓋１５０とから構成されている。
【００２２】
図３は、図１，図２に示す絶縁ハウジング１１０の斜視図である。
【００２３】
絶縁ハウジング１１０は、内部空間１１１と、端子挿入孔１１３とを有する。絶縁ハウジング１１０の内部空間１１１は、上に開口したものである。絶縁ハウジング１１０の端子挿入孔１１３は、底面１１２から内部空間１１１に貫通した孔である。端子挿入孔１１３は、底面１１２側から内部空間１１１への、相手端子であるタブ３００（図１，図２参照）の挿入を受ける孔である。
【００２４】
図４は、図１，図２に示す案内枠１２０、上下移動枠１３０、および押当部材１４０の斜視図であり、図５は、図４に示す各部品の分解斜視図である。尚、図４には、上下移動枠１３０を上方に位置させたときの状態が示されている。
【００２５】
案内枠１２０は、上下双方に開口した枠形状を有しており、絶縁ハウジング１１０の内部空間１１１に配置されて、絶縁ハウジング１１０に固定されている。案内枠１２０には、接触部１２１と、上下案内溝１２２と、前後案内溝１２３とが設けられている。案内枠１２０の接触部１２１は、内部空間１１１に挿入されたタブ３００（図１，図２参照）の前側であってタブ３００（図１，図２参照）に隣接して位置している。案内枠１２０の上下案内溝１２２は、上下方向である矢印Ａ方向に延びる案内溝である。案内枠１２０の前後案内溝１２３は、前後方向である矢印Ｂ方向に水平に延びる案内溝である。
【００２６】
さらに、案内枠１２０は、内部空間１１１内側に突出した係止突起１２４１を有する弾性片１２４を有する。
【００２７】
また、案内枠１２０は、ダイオード（図示せず）の両端のリードをそれぞれ挟んで接続する２対のばねアーム１２５を有する。
【００２８】
上下移動枠１３０は、上下に開口した枠形状を有しており、案内枠１２０の内側に配置される。上下移動枠１３０には、カム溝１３１と、上下案内突起１３２とが設けられている。上下移動枠１３０のカム溝１３１は、上側では相対的に前方（図４及び図５における左方）に位置し下側では相対的に後方に位置するように斜め上下に延びるカム溝である。上下移動枠１３０の上下案内突起１３２は、案内枠１２０の上下案内溝１２２に入り込んで上下に案内される突起である。
【００２９】
さらに、上下移動枠１３０は、第１の係止穴１３３と、第２の係止穴１３４とを有する。上下移動枠１３０の第１の係止穴１３３は、上下移動枠１３０が上方に位置し押当部材１４０を後方に移動させた状態で係止突起１２４１が入り込む係止穴である。上下移動枠１３０の第２の係止穴１３４は、上下移動枠１３０が下方に位置し押当部材１４０を前方に移動させて押当部１４３でタブ３００（図１，図２参照）を接触部１２１に押し当てさせた状態で係止突起１２４１が入り込む係止穴である。
【００３０】
押当部材１４０は、上下移動枠１３０の内側に配置されている。押当部材１４０には、前後案内突起１４１と、案内ピン１４２と、押当部１４３とが設けられている。押当部材１４０の前後案内突起１４１は、案内枠１２０の前後案内溝１２３に入り込んで前後に案内される突起である。押当部材１４０の案内ピン１４２は、カム溝１３１に入り込みカム溝１３１に沿って案内されるピンである。押当部材１４０の押当部１４３は、タブ３００を接触部１２１に押し当てるものである。このような押当部材１４０は、上下移動枠１３０が下方への押圧を受けたときにカム溝１３１と前後案内溝１２３とに案内されて前方に移動し、タブ３００を押当部１４３で接触部１２１に押し当てる。
【００３１】
図６〜図１５を参照して、タブ３００をソーラーモジュール用接続箱１００に接続する過程を説明する。
【００３２】
図６は、蓋１５０を取り外したソーラーモジュール用接続箱１００にタブ３００が挿入される前の状態の縦断面斜視図である。
【００３３】
図６に示すように、蓋１５０を取り外したソーラーモジュール用接続箱１００にタブ３００が挿入される前には、上下移動枠１３０を上方に位置させておく。このタブ３００は、図示しないソーラーパネルより垂直に立ち上げられたタブである。
【００３４】
図７は、図６に示す状態からタブ３００が挿入された後のタブ３００保持前の状態の縦断面斜視図である。また、図８，図９は、図７に示す状態を側面側から見た縦断面図である。
【００３５】
図７〜図９に示すように、タブ３００保持前の状態において、タブ３００は、案内枠１２０の接触部１２１と押当部材１４０の押当部１４３との間に位置するように挿入される。
【００３６】
この状態において、押当部材１４０は、押当部材１４０に設けられた前後案内突起１４１と案内枠１２０に設けられた前後案内溝１２３、および押当部材１４０に設けられた案内ピン１４２と上下移動枠１３０のカム溝１３１により位置が規制される。
【００３７】
また、上下移動枠１３０は、上下移動枠１３０に設けられた上下案内突起１３２と案内枠１２０に設けられた上下案内溝１２２、および上下移動枠１３０に設けられた第１の係止穴１３３と案内枠１２０に設けられた弾性片１２４の係止突起１２４１により位置が規制される。
【００３８】
図１０は、上下移動枠１３０を下方に位置させたときの、案内枠１２０、上下移動枠１３０、および押当部材１４０の斜視図である。また、図１１は、図７に示す状態から上下移動枠１３０を下方に位置させた後のタブ３００保持の状態の縦断面斜視図である。また、図１２は、図１１に示す状態からタブ３００の挟み込まれた側の先端を接触部１２１側に折り曲げた状態の縦断面斜視図である。また、図１３，図１４は、図１２に示す状態を側面側から見た縦断面図である。
【００３９】
図１０〜図１４に示すように、上下移動枠１３０を下方に位置させると、押当部材１４０に設けられた案内ピン１４２は上下移動枠１３０のカム溝１３１の傾斜により前方（図１４における左方）に移動する。この結果、タブ３００を案内枠１２０の接触部１２１と押当部材１４０の押当部１４３との間に挟み込み、タブ３００が保持される。
【００４０】
このようなタブ３００保持の状態において、タブ３００は、案内枠１２０の接触部１２１と押当部材１４０の押当部１４３との間に挟まれ、押当部材１４０の押当部１４３の弾性により案内枠１２０の接触部１２１に押し当てられる。
【００４１】
この状態において、押当部材１４０は、押当部材１４０に設けられた前後案内突起１４１と案内枠１２０に設けられた前後案内溝１２３、および押当部材１４０に設けられた案内ピン１４２と上下移動枠１３０のカム溝１３１により位置が規制される。
【００４２】
また、上下移動枠１３０は、上下移動枠１３０に設けられた上下案内突起１３２と案内枠１２０に設けられた上下案内溝１２２、および上下移動枠１３０に設けられた第２の係止穴１３４と案内枠１２０に設けられた弾性片１２４の係止突起１２４１により位置が規制される。
【００４３】
尚、タブ３００保持の状態を解除する場合は、上下移動枠１３０を、図７〜図９に示す位置まで上方に引き上げることで解除できる。また、上下移動枠１３０を下方に位置させることで、図１０〜図１４に示す状態を繰り返すことが可能である。
【００４４】
図１５は、図１１〜図１４に示す状態から蓋１５０を取り付けた状態の縦断面斜視図である。
【００４５】
蓋１５０には、ソーラーモジュール用接続箱１００の絶縁ハウジング１１０との境界部分にゴムパッキン１５１が備えられており、蓋１５０を取り付けることに、防水性が付与される。
【００４６】
第１実施形態のソーラーモジュール用接続箱１００によれば、ソーラーパネルより垂直に立ち上げられたタブ３００に、タブ３００が立ち上げられた方向に対する逆方向よりソーラーモジュール用接続箱１００を接続する際に、ソーラーモジュール用接続箱１００に対するタブ３００の位置を上方から容易に確定する利点を有する。また、ソーラーパネルに対し、ソーラーモジュール用接続箱１００は水平に装着されるため、ソーラーパネルに対して垂直方向からの荷重にてタブ３００を保持可能であり、自動化に適している。さらに、上方からのタブ３００保持状態の確認が容易であり、かつ、保持解除・再保持の作業も容易に実施できる。
【００４７】
以上で、本発明の第１実施形態の説明を終了し、本発明の第２実施形態について説明する。
【００４８】
図１６は、本発明のコネクタの第２実施形態であるソーラーモジュール用接続箱２００の斜視図である。図１７は、図１６に示すソーラーモジュール用接続箱２００の外観を表す図である。図１７において、（ａ）は平面図、（ｂ）は正面図、（ｃ）は左側面図、（ｄ）は右側面図、（ｅ）は底面図である。尚、図１７は、蓋２４０が取り外された状態の図である。
【００４９】
図１６，図１７に示すように、ソーラーモジュール用接続箱２００は、絶縁ハウジング２１０と、案内枠２２０と、押当部材２３０と、蓋２４０とから構成されている。
【００５０】
図１８は、図１６，図１７に示す絶縁ハウジング２１０の斜視図である。
【００５１】
絶縁ハウジング２１０は、内部空間２１１と、端子挿入孔２１３とを有する。絶縁ハウジング２１０の内部空間２１１は、上に開口したものである。絶縁ハウジング２１０の端子挿入孔２１３は、底面２１２から内部空間２１１に貫通した孔である。端子挿入孔２１３は、底面２１２側から内部空間２１１への、相手端子であるタブ３００（図１６，図１７参照）の挿入を受ける孔である。
【００５２】
図１９は、図１６，図１７に示す案内枠２２０および押当部材２３０の斜視図であり、図２０は、図１６，図１７に示す案内枠２２０および押当部材２３０の図１９に対して背面側から見た斜視図であり、図２１は、図１９，図２０に示す各部品の分解斜視図である。尚、図１９，図２０には、押当部材２３０を上後方に位置させたときの状態が示されている。
【００５３】
案内枠２２０は、上下双方に開口した枠形状を有しており、絶縁ハウジング２１０の内部空間２１１に配置されて、絶縁ハウジング２１０に固定されている。案内枠２２０には、接触部２２１と、カム溝２２２とが設けられている。案内枠２２０の接触部２２１は、内部空間２１１に挿入されたタブ３００（図１６，図１７参照）の前側であってタブ３００（図１６，図１７参照）に隣接して位置している。案内枠２２０のカム溝２２２は、上側では相対的に後方に位置し下側では相対的に前方に位置するように斜め上下に延びるカム溝である。
【００５４】
このカム溝２２２は、案内溝２２２１と、下端係止部２２２２と、上端係止部２２２３とを有する。カム溝２２２の案内溝２２２１は、上後方と下前方との間で斜め上下に延びる溝である。カム溝２２２の下端係止部２２２２は、案内溝２２２１下端に連続し案内溝２２２１下端から後方に折れ曲がるように鈎状に切り欠かれ案内ピン２３１を下端に係止する係止部である。カム溝２２２の上端係止部２２２３は、案内溝２２２１上端に連続し案内溝２２２１上端から前方に折れ曲がるように鈎状に切り欠かれ案内ピン２３１を上端に係止する係止部２２２３である。さらに、案内枠２２０は、押当部材２３０が上後方にあったときに押当部材２３０を前方に弾性的に押圧する、案内枠２２０の開口２２４を通して内部空間２１１内側に突出した押圧突起２２３１を有する弾性片２２３を有する。
【００５５】
また、案内枠２２０は、ダイオード（図示せず）の両端のリードをそれぞれ挟んで接続する２対のばねアーム２２５を有する。
【００５６】
押当部材２３０は、案内枠２２０の内側に配置される。押当部材２３０には、案内ピン２３１と、押当部２３２とが設けられている。押当部材２３０の案内ピン２３１は、案内枠２２０のカム溝２２２に入り込みカム溝２２２に沿って案内されるピンである、押当部材２３０の押当部２３２は、タブ３００（図１６，図１７参照）を接触部２２１に押し当てるものである。このような押当部材２３０は、カム溝２２２に案内されて上後方と下前方とに斜めに移動し下方への押圧を受けたときにカム溝２２２に案内されて下前方に移動しタブ３００（図１６，図１７参照）を押当部２３２で接触部２２１に押し当てる。
【００５７】
図２２〜図３１を参照して、タブ３００をソーラーモジュール用接続箱２００に接続する過程を説明する。
【００５８】
図２２は、蓋２４０を取り外したソーラーモジュール用接続箱２００にタブ３００が挿入される前の状態の縦断面斜視図である。
【００５９】
図２２に示すように、蓋２４０を取り外したソーラーモジュール用接続箱２００にタブ３００が挿入される前には、押当部材２３０を上後方に位置させておく。このタブ３００は、図示しないソーラーパネルより垂直に立ち上げられたタブである。
【００６０】
図２３は、図２２に示す状態からタブ３００が挿入された後のタブ３００保持前の状態の縦断面斜視図である。また、図２４，図２５は、図２３に示す状態を側面側から見た縦断面図である。
【００６１】
図２２〜図２５に示すように、タブ３００保持前の状態において、タブ３００は、案内枠２２０の接触部２２１と押当部材２３０の押当部２３２との間に位置するように挿入される。
【００６２】
この状態において、押当部材２３０は、案内枠２２０の弾性片２２３の前方への付勢によって、押当部材２３０に設けられた案内ピン２３１が案内枠２２０に設けられたカム溝２２２の上端係止部２２２３に係止することにより位置が規制される。
【００６３】
図２６は、押当部材２３０を下前方に位置させたときの、案内枠２２０および押当部材２３０の斜視図である。また、図２７は、図２３に示す状態から押当部材２３０を下前方に位置させた後のタブ３００保持の状態の縦断面斜視図である。また、図２８は、図２７に示す状態からタブ３００の挟み込まれた側の先端を接触部２２１側に折り曲げた状態の縦断面斜視図である。また、図２９，図３０は、図２８に示す状態を側面側から見た縦断面図である。
【００６４】
図２６〜図３０に示すように、押当部材２３０を下前方に位置させると、押当部材２３０に設けられた案内ピン２３１は案内枠２２０のカム溝２２２の傾斜により下前方に移動する。これにより、タブ３００を案内枠２２０の接触部２２１と押当部材２３０の押当部２３２との間に挟み込み、タブ３００が保持される。
【００６５】
このようなタブ３００保持の状態において、タブ３００は、案内枠２２０の接触部２２１と押当部材２３０の押当部２３２との間に挟まれ、押当部材２３０の押当部２３２の弾性により案内枠２２０の接触部２２１に押し当てられる。
【００６６】
この状態において、押当部材２３０は、押当部２３２の後方への付勢によって、押当部材２３０に設けられた案内ピン２３１が案内枠２２０に設けられたカム溝２２２の下端係止部２２２２に係止することにより位置が規制される。
【００６７】
尚、タブ３００保持の状態を解除する場合は、押当部材２３０を、図２２〜図２４に示す位置まで上後方に引き上げることで解除できる。また、押当部材２３０を下前方に位置させることで、図２６〜図３０に示す状態を繰り返すことが可能である。
【００６８】
図３１は、図２７〜図３０に示す状態から蓋２４０を取り付けた状態の縦断面斜視図である。
【００６９】
蓋２４０には、ソーラーモジュール用接続箱２００の絶縁ハウジング２１０との境界部分にゴムパッキン２４１が備えられており、蓋２４０を取り付けることに、防水性が付与される。
【００７０】
第２実施形態のソーラーモジュール用接続箱２００によれば、ソーラーパネルより垂直に立ち上げられたタブ３００に、タブ３００が立ち上げられた方向に対する逆方向よりソーラーモジュール用接続箱２００を接続する際に、ソーラーモジュール用接続箱２００に対するタブ３００の位置を上方から容易に確定する利点を有する。また、ソーラーパネルに対し、ソーラーモジュール用接続箱２００は水平に装着されるため、ソーラーパネルに対して垂直方向からの荷重にてタブ３００を保持可能であり、自動化に適している。さらに、上方からのタブ３００保持状態の確認が容易であり、かつ、保持解除・再保持の作業も容易に実施できる。また、第２実施形態のソーラーモジュール用接続箱２００は、上述した第１実施形態のソーラーモジュール用接続箱１００よりも部品点数が少ない。
【符号の説明】
【００７１】
１００，２００    ソーラーモジュール用接続箱
１１０，２１０    絶縁ハウジング
１１１，２１１    内部空間
１１２，２１２    底面
１１３，２１３    端子挿入孔
１２０，２２０    案内枠
１２１，２２１    接触部
１２２    上下案内溝
１２３    前後案内溝
１２４    弾性片
１２５，２２５    ばねアーム
１２４１    係止突起
１３０    上下移動枠
１３１    カム溝
１３２    上下案内突起
１３３    第１の係止穴
１３４    第２の係止穴
１４０，２３０    押当部材
１４１    前後案内突起
１４２，２３１    案内ピン
１４３，２３２    押当部
１５０，２４０    蓋
１５１，２４１    パッキン
３００    タブ
２２２    カム溝
２２２１    案内溝
２２２２    下端係止部
２２２３    上端係止部
２２３    弾性片
２２３１    押圧突起
２２４    開口
【図１】
2011014466.tif 000003
【図２】
2011014466.tif 000004
【図３】
2011014466.tif 000005
【図４】
2011014466.tif 000006
【図５】
2011014466.tif 000007
【図６】
2011014466.tif 000008
【図７】
2011014466.tif 000009
【図８】
2011014466.tif 000010
【図９】
2011014466.tif 000011
【図１０】
2011014466.tif 000012
【図１１】
2011014466.tif 000013
【図１２】
2011014466.tif 000014
【図１３】
2011014466.tif 000015
【図１４】
2011014466.tif 000016
【図１５】
2011014466.tif 000017
【図１６】
2011014466.tif 000018
【図１７】
2011014466.tif 000019
【図１８】
2011014466.tif 000020
【図１９】
2011014466.tif 000021
【図２０】
2011014466.tif 000022
【図２１】
2011014466.tif 000023
【図２２】
2011014466.tif 000024
【図２３】
2011014466.tif 000025
【図２４】
2011014466.tif 000026
【図２５】
2011014466.tif 000027
【図２６】
2011014466.tif 000028
【図２７】
2011014466.tif 000029
【図２８】
2011014466.tif 000030
【図２９】
2011014466.tif 000031
【図３０】
2011014466.tif 000032
【図３１】
2011014466.tif 000033